(57)【要約】【課題】従来のフレーム巡回型ノイズ低減装置では、Ｉピクチャを動画と判断してしまうので、帰還映像信号のレベルを小さくしてしまいノイズ低減が出来ない。【解決手段】現入力映像信号と現入力映像信号を少なくとも１フレーム期間遅延させた遅延映像信号との間の差分を示す差分映像信号にノイズ低減処理を施して帰還映像信号を生成し、帰還映像信号を現入力映像信号に加算するフレーム巡回型フィルタ１と、現入力映像信号からＭＰＥＧ動画のＩピクチャ周期を検出するＩピクチャ周期検出部２と、を備え、フレーム巡回型フィルタは、検出したＩピクチャ周期に基づき、現入力映像信号がＩピクチャであると判定すると、帰還映像信号のレベルを大きくすることを特徴とするフレーム巡回型ノイズ低減装置１００。【選択図】図１
2011239111.tif 000002
【特許請求の範囲】
【請求項１】
現入力映像信号と前記現入力映像信号を少なくとも１フレーム期間遅延させた遅延映像信号との間の差分を示す差分映像信号にノイズ低減処理を施して帰還映像信号を生成し、前記帰還映像信号を前記現入力映像信号に加算するフレーム巡回型フィルタと、
前記現入力映像信号からＭＰＥＧ動画のＩピクチャ周期を検出するＩピクチャ周期検出部と、を備え、
前記フレーム巡回型フィルタは、
前記検出したＩピクチャ周期に基づき、現入力映像信号がＩピクチャであると判定すると、前記帰還映像信号のレベルを大きくする
ことを特徴とするフレーム巡回型ノイズ低減装置。
【請求項２】
前記Ｉピクチャ周期検出部は、
フレーム毎に入力映像信号の高周波成分を抽出するＨＰＦと、
前記フレーム毎に抽出した高周波成分からノイズ成分に分離するコアリング部と、
前記分離したノイズ成分をフレーム毎に少なくとも１５フレーム分蓄積するメモリと、
前記蓄積したフレーム毎のノイズ成分の周期性に基づき、ＭＰＥＧ動画のＩピクチャ周期を検出する周期検出部と、
を備える請求項１記載のフレーム巡回型ノイズ低減装置。
【請求項３】
現入力映像信号と前記現入力映像信号を少なくとも１フレーム期間遅延させた遅延映像信号のレベルから表示パネルの応答速度を最適化する補正量を算出し、前記補正量を前記現入力映像信号に加算するオーバードライブ処理部と、
前記現入力映像信号からＭＰＥＧ動画のＩピクチャ周期を検出するＩピクチャ周期検出部と、を備え、
前記オーバードライブ処理部は、
前記検出したＩピクチャ周期に基づき、現入力映像信号がＩピクチャであると判定すると、前記補正量を小さくする
ことを特徴とするノイズ強調低減装置。
【請求項４】
前記Ｉピクチャ周期検出部は、
フレーム毎に入力映像信号の高周波成分を抽出するＨＰＦと、
前記フレーム毎に抽出した高周波成分からノイズ成分に分離するコアリング部と、
前記分離したノイズ成分をフレーム毎に少なくとも１５フレーム分蓄積するメモリと、
前記蓄積したフレーム毎のノイズ成分の周期性に基づき、ＭＰＥＧ動画のＩピクチャ周期を検出する周期検出部と、
を備える請求項３記載のノイズ強調低減装置。
【請求項５】
現入力映像信号と前記現入力映像信号を少なくとも１フレーム期間遅延させた遅延映像信号との間の差分を示す差分映像信号にノイズ低減処理を施して帰還映像信号を生成し、前記帰還映像信号を前記現入力映像信号に加算するステップと、
前記現入力映像信号からＭＰＥＧ動画のＩピクチャ周期を検出するステップと、
前記帰還映像信号を前記現入力映像信号に加算するステップは、
前記検出したＩピクチャ周期に基づき、現入力映像信号がＩピクチャであると判定すると、前記帰還映像信号のレベルを大きくすることを含む
ことを特徴とするフレーム巡回型ノイズ低減方法。
【請求項６】
現入力映像信号と前記現入力映像信号を少なくとも１フレーム期間遅延させた遅延映像信号のレベルから表示パネルの応答速度を最適化する補正量を算出し、前記補正量を前記現入力映像信号に加算するステップと、
前記現入力映像信号からＭＰＥＧ動画のＩピクチャ周期を検出するステップと、
前記補正量を前記現入力映像に加算するステップは、
前記検出したＩピクチャ周期に基づき、現入力映像信号がＩピクチャであると判定すると、前記補正量を小さくすることを含む
ことを特徴とするノイズ強調低減方法。
【発明の詳細な説明】
【技術分野】
【０００１】
本発明は、入力映像信号に含まれるノイズを低減させる技術およびノイズ強調を低減させる技術に関するものである。
【背景技術】
【０００２】
ＭＰＥＧ動画は、図５に示すように、ＩピクチャとＢピクチャとＰピクチャと呼ばれるフレームからなる１５のフレームを一つの周期（ＧＯＰ周期）とした複数のＧＯＰ周期で構成されている。Ｉピクチャは単独で再生可能なフレーム、ＢピクチャはＩピクチャと差分を持ったフレーム、ＰピクチャはＢピクチャと差分を持ったフレームである。
【０００３】
Ｉピクチャには、映像信号のディテール成分が含まれているが同時にノイズ成分も多く含まれているため、デジタルテレビなどの映像受信装置において、Ｉピクチャを表示するタイミングで映像全体がフリッカしているようなノイズを発生させる原因となる。
【０００４】
ところで、一般に、動画像には時間的に連続する映像信号のフレーム間に強い相関性が存在するが、動画像信号に含まれるノイズ成分については時間的に連続する映像信号のフレーム間の相関性が低いということが知られている。これを利用して動画像信号に含まれるノイズ成分を低減させる技術としてフレーム巡回型のノイズ低減技術が知れている。
【０００５】
フレーム巡回型のノイズ低減技術は、入力映像信号をフレーム遅延させて、現在の入力映像信号と比較しノイズ成分を抽出する。その抽出したノイズ成分を利用して現在の入力映像信号のノイズ低減を行っている。しかしながら、単に現在の入力映像信号と現在の入力映像信号をフレーム遅延させた遅延映像信号との差分を取るだけでは、抽出したノイズ成分が動画像に因るものかノイズであるかの判断が難しく、判断を誤ると動画像がボヤけるという弊害が発生する。この動画像がボヤけるという弊害を避けるために、抽出したノイズ成分の特徴に応じてフレーム巡回の係数を動的に変えるという操作が必要となる。
【０００６】
そこで、現在の入力映像信号の特徴に応じてフレーム巡回の係数を動的に変える技術が特許文献１に開示されている。
【０００７】
図６は、特許文献１に記載のフレーム巡回型ノイズ低減装置である。
【０００８】
フレーム巡回型ノイズ低減装置３００は、現入力映像信号と現入力映像信号を少なくとも１フレーム遅延させた遅延映像信号との差分を示す差分映像信号から動き量を検出し、検出した動き量に応じて差分映像信号にノイズ低減処理を施して帰還映像信号を生成し、帰還映像信号を現入力映像信号に加算するフレーム巡回型フィルタ４と、現入力映像信号の輝度成分または色成分のレベルが低いほどに帰還映像信号のレベルを低くするレベル調整部５とを備えている。
【０００９】
本構成により、入力映像信号のフレーム間差分が小さい場合でも動画像輪郭のボケや尾引きなどの残像現象の発生を抑制することが可能となる。
【００１０】
ところで、液晶ディスプレイで動画像を見る場合、ディスプレイの応答速度が動画像の滑らかさとなってくる。ディスプレイの応答速度が遅いと動画像に残像感や違和感を発生させる。液晶は性質上、白→黒または黒→白の階調変化に対する応答速度が速く、中間階調から中間階調への階調変化に対する応答速度は遅い。この課題を解決する技術として、オーバードライブ処理技術が知られている。オーバードライブ処理は、中間階調から中間階調への応答速度を白→黒または黒→白の応答速度に近付けようとする技術である。このオーバードライブ処理により、液晶ディスプレイで滑らかな動画像を視聴することが可能となる。
【００１１】
図７は、特許文献２に記載の表示装置である。
【００１２】
表示装置４００は、液晶パネル６１と入力映像信号のノイズを外部から制御して低減するノイズ低減回路６２とノイズ低減回路６２を制御するための制御手段６３と液晶パネル６１の温度を検出する温度検出手段６４とを備え、温度検出手段６４により得られる温度検出結果に応じて、制御手段６３がノイズ低減回路６２を制御することを特徴とする表示装置である。
【００１３】
本構成により、室温の変化や液晶パネル６１の回路の発熱などによりディスプレイの応答速度が変化しても、ノイズ低減回路６２のゲイン制御を行うことにより、ノイズの増加や、画像の鮮鋭感の劣化などを抑えることが可能となる。
【先行技術文献】
【特許文献】
【００１４】
【特許文献１】特開２００７−２８８５９５号公報
【特許文献２】特開２００５−２１５１２８号公報
【発明の概要】
【発明が解決しようとする課題】
【００１５】
ところが、特許文献１に記載のフレーム巡回型ノイズ低減装置３００においては、現入力映像信号と現入力映像信号を少なくとも１フレーム遅延させた遅延映像信号との間の差分を示す差分映像信号から動き量を検出し、検出した動き量に応じて差分映像信号にノイズ低減処理を行っているため、また、現入力映像信号の輝度成分または色成分のレベルが低いほどに帰還映像信号のレベルを低くするので、ＭＰＥＧ動画入力時において前後のフレームに対して高周波成分を多く含むＩピクチャが入力された場合、フレーム差分（ＩピクチャとＢピクチャの差分）が大きくなりＩピクチャを動画と判断してしまうので、帰還映像信号のレベルを小さくしてしまいノイズ低減が出来ないという課題があった。
【００１６】
また、特許文献２に記載の表示装置においては、温度検出手段６４で検出した温度によりノイズ低減回路６２の制御を行っているため、動画像に応じた制御が出来ない。従って、ＭＰＥＧ動画入力時において前後のフレームに対して高周波成分を多く含むＩピクチャが入力された場合、ノイズの有無に関わらず、オーバードライブの補正量が決定され、結果として、Ｉピクチャのフリッカノイズが強調されてしまうという課題があった。
【課題を解決するための手段】
【００１７】
前記従来の課題を解決するために、本発明のフレーム巡回型ノイズ低減装置は、現入力映像信号と前記現入力映像信号を少なくとも１フレーム期間遅延させた遅延映像信号との間の差分を示す差分映像信号にノイズ低減処理を施して帰還映像信号を生成し、前記帰還映像信号を前記現入力映像信号に加算するフレーム巡回型フィルタと、
前記現入力映像信号からＭＰＥＧ動画のＩピクチャ周期を検出するＩピクチャ周期検出部と、を備え、前記フレーム巡回型フィルタは、前記検出したＩピクチャ周期に基づき、現入力映像信号がＩピクチャであると判定すると、前記帰還映像信号のレベルを大きくすることを特徴とする。
【００１８】
また、本発明のフレーム巡回型ノイズ低減方法は、現入力映像信号と前記現入力映像信号を少なくとも１フレーム期間遅延させた遅延映像信号との間の差分を示す差分映像信号にノイズ低減処理を施して帰還映像信号を生成し、前記帰還映像信号を前記現入力映像信号に加算するステップと、前記現入力映像信号からＭＰＥＧ動画のＩピクチャ周期を検出するステップと、前記帰還映像信号を前記現入力映像信号に加算するステップは、前記検出したＩピクチャ周期に基づき、現入力映像信号がＩピクチャであると判定すると、前記帰還映像信号のレベルを大きくすることを含むことを特徴とする。
【００１９】
本発明のフレーム巡回型ノイズ低減装置、フレーム巡回型ノイズ低減方法によれば、ＭＰＥＧ動画入力時において、入力映像信号からＩピクチャの周期を検出し、入力映像信号がＩピクチャであると判定すると、入力映像信号に加算する帰還映像信号のレベルを大きくするので、Ｉピクチャである入力映像信号を動画と判定し帰還映像信号のレベルを小さくすることを抑制し、入力映像信号がＩピクチャであってもフリッカノイズの低減を行うことが可能となる。
【００２０】
前記従来の課題を解決するために、本発明のノイズ強調低減装置は、現入力映像信号と前記現入力映像信号を少なくとも１フレーム期間遅延させた遅延映像信号のレベルから表示パネルの応答速度を最適化する補正量を算出し、前記補正量を前記現入力映像信号に加算するオーバードライブ処理部と、前記現入力映像信号からＭＰＥＧ動画のＩピクチャ周期を検出するＩピクチャ周期検出部と、を備え、前記オーバードライブ処理部は、前記検出したＩピクチャ周期に基づき、現入力映像信号がＩピクチャであると判定すると、前記補正量を小さくすることを特徴とする。
【００２１】
また、本発明のノイズ強調低減方法は、現入力映像信号と前記現入力映像信号を少なくとも１フレーム期間遅延させた遅延映像信号のレベルから表示パネルの応答速度を最適化する補正量を算出し、前記補正量を前記現入力映像信号に加算するステップと、前記現入力映像信号からＭＰＥＧ動画のＩピクチャ周期を検出するステップと、前記補正量を前記現入力映像に加算するステップは、前記検出したＩピクチャ周期に基づき、現入力映像信号がＩピクチャであると判定すると、前記補正量を小さくすることを含む
ことを特徴とする。
【００２２】
本発明のノイズ強調低減装置、ノイズ強調低減方法によれば、ＭＰＥＧ動画入力時において、入力映像信号からＩピクチャの周期を検出し、入力映像信号がＩピクチャであると判定すると、入力映像信号に加算するオーバードライブの補正量を小さくするので、ノイズの有無に係わらずオーバードライブの補正量が決定されることを抑制し、ディスプレイの応答速度を上げつつＩピクチャである入力映像信号のフリッカノイズが強調されることを抑制することが可能となる。
【発明の効果】
【００２３】
本発明のフレーム巡回型ノイズ低減装置、フレーム巡回型ノイズ低減方法によれば、ＭＰＥＧ動画入力時において、入力映像信号からＩピクチャの周期を検出し、入力映像信号がＩピクチャであると判定すると、入力映像信号に加算する帰還映像信号のレベルを大きくするので、Ｉピクチャである入力映像信号を動画と判定し帰還映像信号のレベルを小さくすることを抑制し、入力映像信号がＩピクチャであってもフリッカノイズの低減を行うことが可能となる。
【００２４】
また、本発明のノイズ強調低減装置、ノイズ強調低減方法によれば、ＭＰＥＧ動画入力時において、入力映像信号からＩピクチャの周期を検出し、入力映像信号がＩピクチャであると判定すると、入力映像信号に加算するオーバードライブの補正量を小さくするので、ノイズの有無に係わらずオーバードライブの補正量が決定されることを抑制し、ディスプレイの応答速度を上げつつＩピクチャである入力映像信号のフリッカノイズが強調されることを抑制することが可能となる。
【図面の簡単な説明】
【００２５】
【図１】本発明の実施例１に係わるフレーム巡回型ノイズ低減装置の構成を示すブロック図
【図２】本発明の実施例２に係わるノイズ強調低減装置の構成を示すブロック図
【図３】フレーム巡回型フィルタのＫファクタと減算部からの出力との関係を示す図
【図４】オーバードライブ補正量を示す図
【図５】ＭＰＥＧ動画のデータ構成図
【図６】従来のフレーム巡回型ノイズ低減装置の構成を示すブロック図
【図７】従来の表示装置の構成を示すブロック図
【発明を実施するための形態】
【００２６】
以下、本発明を実施するための形態について、図面を参照しながら説明する。
【実施例１】
【００２７】
図１は、本発明の実施例１に係わるフレーム巡回型ノイズ低減装置の構成を示すブロック図である。
【００２８】
フレーム巡回型ノイズ低減装置１００は、フレーム巡回型フィルタ１とＩピクチャ周期検出部２とから構成される。さらに、フレーム巡回型フィルタ１は、フレームメモリ１１と減算部１２とＫファクタ決定部１３と乗算部１４と減算部１５とから構成される。また、Ｉピクチャ周期検出部２は、ハイパスフィルタ（Ｈｉｇｈ  Ｐａｓｓ  Ｆｉｌｔｅｒ、ＨＰＦ）２１とコアリング部２２とメモリ２３と周期検出部２４とから構成される。
【００２９】
フレーム巡回型フィルタ１において、フレームメモリ１１は、減算部１５においてノイズ成分を取り除かれた現入力映像信号Ｎフレームが入力された時にその１フレーム遅延のＮ−１フレーム（遅延映像信号）を生成し、減算部１２に出力する。なおフレームメモリ１１は、現入力映像信号を１フレームだけ遅延した遅延映像信号に限定されず、２フレーム以上遅延させた遅延映像信号を生成することとしても良い。
【００３０】
減算部１２は、現入力映像信号とフレームメモリ１１から出力された遅延映像信号との差分（差分映像信号）をとり、Ｋファクタ決定部１３および乗算部１４に出力する。
【００３１】
Ｋファクタ決定部１３は、減算部１２から出力された差分映像信号の大きさおよびＩピクチャ周期検出部２から出力されるＩピクチャ周期に応じて、差分映像信号に乗算する係数Ｋの値を制御する。なお、フレームメモリ１１において遅延映像信号が生成されていない初期状態においては、減算部１２の出力は現入力映像信号そのものとなり、また、後述するＩピクチャ周期検出手段２によるＩピクチャ周期の予測もされていない状態にあるため、Ｋファクタ決定部１３は係数Ｋの値を「０」に設定する。従って、フレームメモリ１１には現入力映像信号がそのまま格納されることになる。
【００３２】
乗算部１４は、減算部１２から出力される差分映像信号にＫファクタ決定部１３から出力される係数Ｋを乗算し、帰還映像信号として減算部１５に出力する。
【００３３】
減算部１５は、現入力映像信号から乗算部１４の出力である帰還映像信号を減算し、フレームメモリ１１に出力する。
【００３４】
Ｉピクチャ周期検出部２において、ＨＰＦ２１は、入力映像信号の高周波成分を抽出し、コアリング部２２に出力する。コアリング部２２は、ＨＰＦ２１からされた入力映像信号の高周波成分に所定の閾値より大きい値を抜き出すコアリングを掛けてディテール成分を分離しノイズ成分を取り出し、取り出したノイズ成分をメモリ２３に出力する。メモリ２３は、コアリング部２２から出力されたノイズ成分をフレーム毎にＧＯＰ周期である１５フレーム以上累積加算する。周期検出部２４は、メモリ２３に累積加算されたノイズ成分から周期性を検出し、次にＩピクチャが入力されるタイミングを予測し、Ｉピクチャが入力されるタイミングで、その旨を示す信号をＫファクタ決定部１３に出力する。
【００３５】
次に、Ｋファクタ決定部１３の係数Ｋの値を制御する方法について、図３を用いて以下に説明する。
【００３６】
図３において、（ａ）はＩピクチャ周期検出部２から現入力映像信号がＩピクチャである旨の通知がない場合、（ｂ）はＩピクチャ周期検出部２から現入力映像信号がＩピクチャである旨の通知を受けた場合のフレーム巡回型フィルタのＫファクタと減算部１２からの出力との関係を示している。なお、図３（ｂ）における点線部は、Ｉピクチャ周期検出部２から現入力映像信号がＩピクチャである旨の通知がない場合のフレーム巡回型フィルタのＫファクタと減算部１２からの出力との関係（図３（ａ））を示している。
【００３７】
Ｋファクタ決定部１３は、Ｉピクチャ周期検出部２から現入力映像信号がＩピクチャである旨の通知がない場合、図３（ａ）に基づき、減算部１２からの出力の大きさに応じて係数Ｋの値を決定する。具体的には、減算部１２からの出力が小さいほど映像信号のフレーム間の相関性が高いと判断し、Ｉピクチャでない現入力映像信号から減算する帰還映像信号の係数Ｋの値を大きくする。一方、減算部１２からの出力が大きいほど映像信号のフレーム間の相関性が低いと判断し、Ｉピクチャでない現入力映像信から減算する帰還映像信号の係数Ｋの値を小さくする。
【００３８】
一方、Ｋファクタ決定部１３は、Ｉピクチャ周期検出部２から現入力映像信号がＩピクチャである旨の通知があると、図３（ｂ）に基づき、減算部１２からの出力の大きさに応じて係数Ｋの値を決定する。具体的には、減算部１２からの出力が小さいほど映像信号のフレーム間の相関性が高いと判断し、Ｉピクチャである現入力映像信号から減算する係数Ｋの値を大きくする。一方、減算部１２からの出力が大きいほど映像信号のフレーム間の相関性が低いと判断し、Ｉピクチャである現入力映像信号から減算する帰還映像信号の係数Ｋの値を小さくする。つまり、Ｉピクチャ周期検出部２から現入力映像信号がＩピクチャである旨の通知がない場合と同様、減算部１２からの出力の大きさに応じて係数Ｋの値を制御するが、その値は、Ｉピクチャ周期検出部２から現入力映像信号がＩピクチャである旨の通知がない場合よりも大きくなるように制御する。
【００３９】
つまり、フレーム巡回型ノイズ低減装置１００は、現入力映像信号がＩピクチャである場合、現入力映像信号がＩピクチャでない場合に比べ、現入力映像信号から減算する帰還映像信号が大きくなるように制御する。
【００４０】
なお、実施例１においては、Ｉピクチャである現入力映像信号に対して、図３（ｂ）に基づき係数Ｋの値を決定することとしたが、これに限らず、Ｉピクチャである現入力映像信号の前後数フレームに対する係数Ｋの値を図３（ａ）に基づく値から図３（ｂ）に基づく値へと徐々に変化させていっても良い。
【００４１】
以上、本実施例１のフレーム巡回型ノイズ低減装置によれば、ＭＰＥＧ動画入力時において、入力映像信号からＩピクチャの周期を検出し、入力映像信号がＩピクチャであると判定すると、入力映像信号に加算する帰還映像信号のレベルを大きくするので、Ｉピクチャである入力映像信号を動画と判定し帰還映像信号のレベルを小さくすることを抑制し、入力映像信号がＩピクチャであってもフリッカノイズの低減を行うことが可能となる。
【実施例２】
【００４２】
図２は、本発明の実施例２に係わるノイズ強調低減装置の構成を示すブロック図である。
【００４３】
ノイズ強調低減装置２００は、Ｉピクチャ周期検出部２とオーバードライブ処理部３とから構成される。さらに、オーバードライブ処理部３は、フレームメモリ３１とルックアップテーブル（Ｌｏｏｋ  Ｕｐ  Ｔａｂｌｅ；ＬＵＴ）３２と補正値調整部３３と加算部３４とから構成される。なお、実施例１と同じ符号を付したものは同じ構成を有するものとしてここでの説明は省略する。
【００４４】
オーバードライブ処理部３において、フレームメモリ３１は、現入力映像信号Ｎフレームからその１フレーム遅延のＮ−１フレーム（遅延映像信号）を生成し、ＬＵＴ３２に出力する。なおフレームメモリ３１は、現入力映像信号を１フレームだけ遅延した遅延映像信号に限定されず、２フレーム以上遅延させた遅延映像信号を生成することとしても良い。
【００４５】
ＬＵＴ３２は、現入力映像信号ムとフレームメモリ３１から出力された遅延映像信号のレベルからオーバードライブの補正量を決定し、補正量調整部３３に出力する。
【００４６】
補正量調整部３３は、ＬＵＴ３２から出力された補正量およびＩピクチャ周期検出部２から出力されるＩピクチャ周期に応じて、現入力映像信号に加算する補正量を調整し、加算部３４に出力する。
【００４７】
加算部３４は、補正量調整部３３から出力された調整された補正量を現入力映像信号に加算し出力する。
【００４８】
次に、補正量調整部３３においてＬＵＴ３２から出力された補正量を調整する方法について、図４を用いて以下に説明する。
【００４９】
図４は、ＬＵＴ３２において、現入力映像信号Ｎフレームとフレームメモリ３１から出力された遅延映像信号Ｎ−１フレームの映像信号のレベルから決定するオーバードライブ補正量を示す図で、入力映像信号のレベルが８ビット（０〜２５５段階）で表現されている場合を示している。ＬＵＴ３２は、Ｎフレームの映像信号のレベルが「０」であり、Ｎ−１フレームの映像信号のレベルも「０」である場合、補正量として「０」を出力する。つまり、現入力映像信号に対して、オーバードライブの補正を行わない。一方、Ｎフレームの映像信号のレベルが「１」であり、Ｎ−１フレームの映像信号のレベルが「０」である場合、補正量として「２（００００００１０）」を出力する。
【００５０】
ここで、補正量調整部３３は、Ｉピクチャ周期検出部２から現入力映像信号がＩピクチャである旨の通知がない場合、ＬＵＴ３２からの出力をそのまま加算部３４に出力する。一方、Ｉピクチャ周期検出部２から現入力映像信号がＩピクチャである旨の通知があると、ＬＵＴ３２からの出力を小さくなるように制御する。
【００５１】
つまり、ノイズ強調低減装置２００は、現入力映像信号がＩピクチャである場合、現入力映像信号がＩピクチャでない場合に比べ、現入力映像信号に加算する表示パネルの応答速度を最適化する補正量が小さくなるように制御する。
【００５２】
以上、本実施例２のノイズ強調低減装置によれば、ＭＰＥＧ動画入力時において、入力映像信号からＩピクチャの周期を検出し、入力映像信号がＩピクチャであると判定すると、入力映像信号に加算するオーバードライブの補正量を小さくするので、ノイズの有無に係わらずオーバードライブの補正量が決定されることを抑制し、ディスプレイの応答速度を上げつつＩピクチャである入力映像信号のフリッカノイズが強調されることを抑制することが可能となる。
【産業上の利用可能性】
【００５３】
本発明によれば、ＭＰＥＧ動画入力時において、入力映像信号からＩピクチャの周期を検出し、入力映像信号がＩピクチャであると判定すると、入力映像信号に加算する帰還映像信号のレベルを大きくするので、Ｉピクチャである入力映像信号を動画と判定し帰還映像信号のレベルを小さくすることを抑制し、入力映像信号がＩピクチャであってもフリッカノイズの低減を行うことが可能となるので、フレーム巡回型ノイズ低減技術として有効である。
【００５４】
また、本発明によれば、ＭＰＥＧ動画入力時において、入力映像信号からＩピクチャの周期を検出し、入力映像信号がＩピクチャであると判定すると、入力映像信号に加算するオーバードライブの補正量を小さくするので、ノイズの有無に係わらずオーバードライブの補正量が決定されることを抑制し、ディスプレイの応答速度を上げつつＩピクチャである入力映像信号のフリッカノイズが強調されることを抑制することが可能となるので、ノイズ強調低減技術として有効である。
【符号の説明】
【００５５】
１    フレーム巡回型フィルタ
２    Ｉピクチャ周期検出部
３    オーバードライブ処理部
１１、３１    フレームメモリ
１２、１５    減算部
１３    Ｋファクタ決定部
１４    乗算部
２１    ＨＰＦ
２２    コアリング部
２３    メモリ
２４    周期検出部
３２    ＬＵＴ
３３    補正値調整部
３４    加算部
１００    フレーム巡回型ノイズ低減装置
２００    ノイズ強調低減装置
【図１】
2011239111.tif 000003
【図２】
2011239111.tif 000004
【図３】
2011239111.tif 000005
【図４】
2011239111.tif 000006
【図５】
2011239111.tif 000007
【図６】
2011239111.tif 000008
【図７】
2011239111.tif 000009